(57)【要約】【課題】フィルムの弛みや蛇行等を抑制しつつ、フィルムの著しい伸張や該伸張に起因する不具合を抑制できるテンション付与装置、フィルム加熱装置及びブリスターパックの製造装置を提供する。【解決手段】フィルム加熱装置の上流側にテンション付与装置１０が設けられており、該テンション付与装置１０は、包装用フィルム３を沿わせて移送するブレーキローラ５１を備えている。ブレーキローラ５１の回転軸５２の一端に回転軸線方向に略垂直な回転面５５を形成し、該回転面５５にバネ６２の弾性反発力を用いてブレーキローラ５８の押圧面６０を押し当てるように構成した。これにより、回転面５５と押圧面６０との間に摩擦による摺動抵抗力を生じさせることで、ブレーキローラ５１の回転に対して制動力が付与され、包装用フィルム３にテンションが付与されるようになっている。【選択図】      図１
2005306402.tif 000002
【特許請求の範囲】
【請求項１】
下流側から引っ張られることで移送されるフィルムにテンションを付与するためのテンション付与装置であって、
回転可能に支持され、自身の外周面に前記フィルムを沿わせて移送するブレーキローラと、前記ブレーキローラに対して制動力を付与可能な制動手段とを備え、
前記ブレーキローラの外周面と前記フィルムとの間に生じる摩擦力によって、前記フィルムの移送に伴って前記ブレーキローラが回転するように構成し、
前記制動手段は、移送される前記フィルムにテンションが付与されるように前記制動力を付与するとともに、前記フィルムの移送を停止させる際には、前記ブレーキローラの回転を停止させるように前記制動力を付与することを特徴とするテンション付与装置。
【請求項２】
下流側から引っ張られることで移送されるフィルムにテンションを付与するためのテンション付与装置であって、
回転可能に支持され、自身の外周面に前記フィルムを沿わせて移送するブレーキローラと、前記ブレーキローラの回転に対して常に制動力を付与するための制動手段とを備え、
前記ブレーキローラの外周面と前記フィルムとの間に生じる摩擦力によって、前記フィルムの移送に伴って前記ブレーキローラが回転するように構成したことを特徴とするテンション付与装置。
【請求項３】
前記制動手段は、回転する前記ブレーキローラに対して摺動抵抗力を付与可能であることを特徴とする請求項１または２に記載のテンション付与装置。
【請求項４】
前記制動手段は、前記ブレーキローラに常時押し付けられる押圧部材を有し、
前記押し付けられた押圧部材と前記ブレーキローラとの間に、摩擦力が生じるように構成したことを特徴とする請求項１乃至３のいずれかに記載のテンション付与装置。
【請求項５】
前記ブレーキローラは、回転軸線方向に略垂直な回転面を備え、
前記制動手段は、前記押圧部材に形成された押圧面を前記回転面に押し付けることを特徴とする請求項４に記載のテンション付与装置。
【請求項６】
前記制動手段は、弾性部材を備え、
前記弾性部材の弾性反発力によって、押圧部材が押し付けられることを特徴とする請求項４または５に記載のテンション付与装置。
【請求項７】
前記制動手段は、前記制動力を調整可能な調整機構を備えることを特徴とする請求項１乃至６のいずれかに記載のテンション付与装置。
【請求項８】
請求項１乃至７のいずれかに記載のテンション付与装置と、前記テンション付与装置の下流側に設けられた加熱手段とを備えたフィルム加熱装置であって、
前記加熱手段は、加熱上型及び加熱下型を具備するとともに、
前記フィルムの移送が停止されている間に、前記フィルムを前記加熱上型及び加熱下型で挟持して加熱することを特徴とするフィルム加熱装置。
【請求項９】
請求項８に記載のフィルム加熱装置を具備してなるブリスターパックの製造装置。
【請求項１０】
請求項８に記載のフィルム加熱装置と、
前記フィルム加熱装置により加熱された部位にポケット部を成形するポケット成形手段と、
前記成形されたポケット部に内容物を収容する収容装置と、
少なくとも前記ポケット部を塞ぐようにしてカバーフィルムを前記フィルムに取着する取着装置とを具備してなるブリスターパックの製造装置。
【発明の詳細な説明】
【技術分野】
【０００１】
本発明は、包装用フィルムに対し複数のポケット部を形成する際等において、包装用フィルムにテンションを付与するためのテンション付与装置、移送された包装用フィルムを加熱するためのフィルム加熱装置、及び、前記ポケット部を塞ぐようにしてカバーフィルムを包装用フィルムに取着してなるブリスターパックの製造装置に関するものである。
【背景技術】
【０００２】
一般に、ブリスターパックとしてのＰＴＰシートは、例えば熱可塑性樹脂フィルムよりなり複数のポケット部を備えた包装用フィルムと、ポケット部を塞ぐようにして包装用フィルムに取着されたアルミニウム製のカバーフィルムとを有している。各ポケット部には錠剤が収容されている。
【０００３】
従来、図７に示すように、ＰＴＰシートを製造する装置１０１は、包装用フィルム１０３を下流側へと間欠的に移送するための送りローラ１０４と、移送された包装用フィルム１０３にポケット部を形成するためのポケット部形成装置１０５と、ポケット部の形成された包装用フィルム１０３をさらに下流側へと移送するためのポケット送りローラ１０６とを備えている。該ポケット部形成装置１０５は、包装用フィルム１０３を加熱軟化するための加熱手段１０７と、成形凸部を押し付けてポケット部の形状を成形するためのポケット成形手段１０８とを備えている。
【０００４】
ポケット部が形成される際には、まず、送りローラ１０４とポケット送りローラ１０６とによって、帯状の包装用フィルム１０３が所定量送り出される。これにより、加熱手段１０７において、離間した上部ヒータプレートと下部ヒータプレートとの間に、包装用フィルム１０３が移送される。そして、包装フィルム１０３の移送が停止されている間に、両ヒータプレートに挟まれることで、包装用フィルム１０３が加熱軟化される。次に、加熱軟化された包装用フィルム１０３は、ポケット成形手段１０８へと移送される。該ポケット成形手段１０８では、上型とベースとによって包装用フィルム１０３が挟まれる。さらに、包装用フィルム１０３に向かって、成形凸部を突出させることで、ポケット部が形成される。
【０００５】
ところで、前記加熱手段１０７の上流側には、送りローラ１０４から供給された包装用フィルム１０３にテンションを付与するためのダンサローラ１１０が設けられている。該ダンサローラ１１０の位置を移動させることで、包装用フィルム１０３に常に一定のテンションが付与されるように構成されている（例えば、特許文献１参照。）。これにより、包装用フィルム１０３の移送が安定させられ、包装用フィルム１０３の弛みや蛇行等が抑制されるようになっている。
【特許文献１】特開平１０−１１０２号公報
【発明の開示】
【発明が解決しようとする課題】
【０００６】
しなしながら、上記ダンサローラ１１０によるテンションの付与は、包装用フィルム１０３の移送が停止されている間も行われている。例えば、加熱手段１０７による加熱中の包装用フィルム１０３は、軟化されて伸長されやすい状態となる。このような状態で、必要以上にテンションが付与されると、包装用フィルム１０３の長手方向に著しい伸びが生じてしまうおそれがある。さらに、著しく伸びた部分が冷えると、逆に縮みが生じてうねりを引き起こす等の不具合を生じる懸念がある。
【０００７】
本発明は、上記事情に鑑みてなされたものであり、その目的は、フィルムの弛みや蛇行等を抑制しつつ、フィルムの著しい伸張や該伸張に起因する不具合を抑制できるテンション付与装置、フィルム加熱装置及びブリスターパックの製造装置を提供することである。
【課題を解決するための手段】
【０００８】
以下、上記目的等を解決するのに適した各手段につき項分けして説明する。なお、必要に応じて対応する手段に特有の作用効果等を付記する。
【０００９】
手段１．下流側から引っ張られることで移送されるフィルムにテンションを付与するためのテンション付与装置であって、回転可能に支持され、自身の外周面に前記フィルムを沿わせて移送するブレーキローラと、前記ブレーキローラに対して制動力を付与可能な制動手段とを備え、前記ブレーキローラの外周面と前記フィルムとの間に生じる摩擦力によって、前記フィルムの移送に伴って前記ブレーキローラが回転するように構成し、前記制動手段は、移送される前記フィルムにテンションが付与されるように前記制動力を付与するとともに、前記フィルムの移送を停止させる際には、前記ブレーキローラの回転を停止させるように前記制動力を付与することを特徴とするテンション付与装置。
【００１０】
上記手段１によれば、ブレーキローラの外周面に沿わせられたフィルムが、下流側から引っ張られると、ブレーキローラの外周面とフィルムとの間に生じる摩擦力によって、ブレーキローラを回転させながら、下流側へと移送させられる。また、制動手段によって、ブレーキローラに制動力が付与されるようになっている。このため、フィルムの移送時には、フィルムはブレーキローラによって引っ張られる。従って、フィルムの移送時には、フィルムにテンションが付与されることとなる。その結果、移送時のフィルムの弛みや蛇行等の抑制を図ることができる。一方、フィルムの移送を停止させる際には、制動手段によってブレーキローラの回転が停止させられる。このため、フィルムの移送が突然停止させられた場合に、それまで回転していたブレーキローラが惰性によって回転し続けるといった事態が抑制される。従って、フィルムがむやみに移送されて、弛みを生じてしまうと言った不具合を抑制できる。さらに、ブレーキローラの回転が停止させられることにより、フィルムの移送停止時にブレーキローラがフィルムを著しく伸張させるほど引っ張ってしまうことはない。従って、フィルムの著しい伸張や、該伸張に起因する不具合を抑制できる。
【００１１】
手段２．下流側から引っ張られることで移送されるフィルムにテンションを付与するためのテンション付与装置であって、回転可能に支持され、自身の外周面に前記フィルムを沿わせて移送するブレーキローラと、前記ブレーキローラの回転に対して常に制動力を付与するための制動手段とを備え、前記ブレーキローラの外周面と前記フィルムとの間に生じる摩擦力によって、前記フィルムの移送に伴って前記ブレーキローラが回転するように構成したことを特徴とするテンション付与装置。
【００１２】
手段２によれば、ブレーキローラの回転に対して常に制動力が付与されている。このため、フィルムの移送時には、ブレーキローラによってフィルムが引っ張られ、該フィルムにテンションが付与される。フィルムの移送を停止させる際には、速やかにブレーキローラの回転が停止されるとともに、フィルムの移送停止時には、ブレーキローラは回転の停止状態または回転されにくい状態で維持される。従って、基本的に手段１と同様の作用効果が奏されることとなる。
【００１３】
手段３．前記制動手段は、回転する前記ブレーキローラに対して摺動抵抗力を付与可能であることを特徴とする手段１または２に記載のテンション付与装置。
【００１４】
上記手段３によれば、制動手段によって、回転するブレーキローラに対して摺動抵抗力が付与される。該摺動抵抗力が、ブレーキローラの回転に対する制動力となる。このため、フィルムの移送に伴ってブレーキローラが回転させられると、フィルムにテンションが付与される。一方、フィルムの移送停止時には、ブレーキローラの回転が停止され、フィルムの著しい伸張が抑制される。従って、複雑な制御を行うことなく、フィルムの移送及び移送停止に応じて、フィルムへのテンション付与を実施させたり、ブレーキローラの回転を停止させたりすることができる。その結果、装置の複雑化や設備費の増加を抑制することができる。
【００１５】
手段４．前記制動手段は、前記ブレーキローラに常時押し付けられる押圧部材を有し、前記押し付けられた押圧部材と前記ブレーキローラとの間に、摩擦力が生じるように構成したことを特徴とする手段１乃至３のいずれかに記載のテンション付与装置。
【００１６】
上記手段４によれば、押圧部材が常時ブレーキローラに押し付けられるようになっている。このため、押圧部材とブレーキローラとの間に生じる摩擦力が、ブレーキローラに対する摺動抵抗力となる。該摺動抵抗力がブレーキローラの回転に対する制動力となる。従って、押圧部材を押し付けるだけで、容易に制動力が得られるとともに、手段３と同様の作用効果が得られる。
【００１７】
手段５．前記ブレーキローラは、回転軸線方向に略垂直な回転面を備え、前記制動手段は、前記押圧部材に形成された押圧面を前記回転面に押し付けることを特徴とする手段４に記載のテンション付与装置。
【００１８】
上記手段５によれば、ブレーキローラには、回転軸線方向に略垂直な回転面が設けられている。押圧部材に形成された押圧面が、回転面に押し付けられることにより、回転面と押圧面との間に摩擦力が生じる。該摩擦力がブレーキローラの摺動抵抗力となる。また、例えばブレーキローラの外周面等に押圧部材を押し付ける場合等、ブレーキローラの回転軸線に対する直交方向から押圧部材を押し付ける場合には、前記外周面等に合わせて押圧面を曲面に形成するといった高度な加工が必要となる。この点手段５では、ブレーキローラの回転軸線方向に略垂直な回転面であるため、回転面を平面に設定できるとともに、押圧面も平面とすることができる。従って、テンション付与装置の製造を容易にすることができる。
【００１９】
手段６．前記制動手段は、弾性部材を備え、前記弾性部材の弾性反発力によって、押圧部材が押し付けられることを特徴とする手段４または５に記載のテンション付与装置。
【００２０】
上記手段６によれば、弾性部材の弾性反発力によって、押圧部材を押し付けるための押圧力が容易に得られる。このため、押圧力を得るための別途の駆動手段や制御手段等を必要とせず、装置の複雑化や設備費の増加を抑制することができる。
【００２１】
手段７．前記制動手段は、前記制動力を調整可能な調整機構を備えることを特徴とする手段１乃至６のいずれかに記載のテンション付与装置。
【００２２】
上記手段７によれば、調整機構によって、前記制動力を調整することができる。このため、フィルムへ付与されるテンションを適切な強さに調整することができる。
【００２３】
手段８．手段１乃至７のいずれかに記載のテンション付与装置と、前記テンション付与装置の下流側に設けられた加熱手段とを備えたフィルム加熱装置であって、前記加熱手段は、加熱上型及び加熱下型を具備するとともに、前記フィルムの移送が停止されている間に、前記フィルムを前記加熱上型及び加熱下型で挟持して加熱することを特徴とするフィルム加熱装置。
【００２４】
上記手段８によれば、テンション付与装置によって、フィルムにテンションが付与されつつ、加熱手段へと移送される。このため、フィルムの蛇行やたるみが抑制され、加熱手段の適切な位置にフィルムを移送することができる。そして、フィルムの移送が停止させられる際には、ブレーキローラの回転も停止されるため、フィルムが加熱手段へとむやみ送られて弛んでしまうといった不具合が抑制される。また、フィルムの移送が停止されている間に、加熱手段の加熱上型と加熱下型とによって、フィルムが挟持され加熱される。フィルムの移送停止中には、テンション付与装置のブレーキローラの回転が停止されているため、前記加熱中においては、フィルムが伸張されてしまうといった不具合を抑制することができる。その結果、前記伸張に起因するフィルムのうねり等の不具合をも抑制することができる。
【００２５】
手段９．手段８に記載のフィルム加熱装置を具備してなるブリスターパックの製造装置。
【００２６】
上記手段９によれば、ブリスターパックの製造に際して、フィルムの弛みや蛇行等を抑制しつつ、フィルムの著しい伸張や該伸張に起因する不具合の抑制を図ることができる。
【００２７】
手段１０．手段８に記載のフィルム加熱装置と、前記フィルム加熱装置により加熱された部位にポケット部を成形するポケット成形手段と、前記成形されたポケット部に内容物を収容する収容装置と、少なくとも前記ポケット部を塞ぐようにしてカバーフィルムを前記フィルムに取着する取着装置とを具備してなるブリスターパックの製造装置。
【００２８】
上記手段１０によれば、フィルム加熱装置によって加熱されたフィルムには、ポケット成形手段によって、ポケット部が成形される。そして、収容装置によって、ポケット部に内容物が収容され、取着装置によって、少なくともポケット部を塞ぐようにしてカバーフィルムが前記ポケット部の成形されたフィルムに取着される。このようなブリスターパックの製造装置に関しても、手段８に記載のフィルム加熱装置を設けるだけで、ブリスターパックの製造に際して、フィルムの弛みや蛇行等を抑制しつつ、フィルムの著しい伸張や該伸張に起因する不具合の抑制を図ることができる。
【発明を実施するための最良の形態】
【００２９】
以下、一実施形態について、図面を参照しつつ説明する。図２，３に示すように、ＰＴＰシート１は、複数のポケット部２を備えた包装用フィルム３と、ポケット部２を塞ぐようにして包装用フィルム３に取着されたカバーフィルム４とを有している。包装用フィルム３は、例えば、ＰＰ（ポリプロピレン）やＰＶＣ（ポリ塩化ビニル）等の比較的硬質で所定の剛性を有する熱可塑性樹脂材料によって構成され、透明または半透明を呈している。カバーフィルム４は、アルミニウムによって構成されている。また、各ポケット部２には錠剤５が１つずつ収容されている。本実施形態では、ＰＴＰシート１は、帯状の包装用フィルム３及びカバーフィルム４から形成された帯状のＰＴＰフィルム６がカット或いは打抜かれることで、シート状に製造されている。
【００３０】
次に、上記のように構成されてなるＰＴＰシート１を製造するためのＰＴＰ包装機８（ブリスターパック製造装置）の概略について図４に基づいて説明する。
【００３１】
帯状の包装用フィルム３は、最上流側においてロール状に巻回されており、間欠的に移送されるようになっている。包装用フィルム３移送経路に沿って、包装用フィルム３にテンションを付与するためのテンション付与装置１０と、加熱手段としてのフィルム加熱装置１１と、ポケット成形手段１２と、フィルム送りロール１３とが順に設けられている。フィルム加熱装置１１及びポケット成形手段１２によって、ポケット部２を形成するためのポケット部形成装置１４が構成されている。
【００３２】
そして、ポケット部形成装置１４へと移送される包装用フィルム３には、テンション付与装置１０によって、テンションが付与されるようになっている。ポケット部形成装置１４においては、略水平に搬送される包装用フィルム３が、フィルム加熱装置１１によって加熱されて比較的柔軟になった状態において、当該包装用フィルム３にポケット成形手段１２によってポケット部２が成形される。なお、このポケット部２の成形は、フィルム送りロール１３による包装用フィルム３の移送動作間のインターバルの際（停止中）に行われる。
【００３３】
ポケット部２が形成された包装用フィルム３の移送経路に沿って、ポケット部２に錠剤５を自動的に充填する収容装置としての錠剤投入装置１６、検査装置１７、フィルム受けロール１８が配設されている。錠剤投入装置１６は、所定間隔毎にシャッタを開くことで錠剤５を落下させるものであり、このシャッタ開放動作に伴って各ポケット部２に錠剤５が投入される。
【００３４】
検査装置１７は、錠剤５が各ポケット部２に確実に充填されているか否か、また錠剤５の異常の有無、異物混入の有無等の検査を行うためのものである。該検査装置１７は、ポケット部２の開口側からの検査を行う。
【００３５】
一方、帯状に形成されたカバーフィルム４は、最上流側においてロール状に巻回されている。ロール状に巻回されたカバーフィルム４の引出し端は、前記フィルム受けロール１８の方へと案内されている。フィルム受けロール１８には、加熱ロール１９が圧接可能となっており、取着装置を構成する両ロール１８，１９間に包装用フィルム３及びカバーフィルム４が送り込まれるようになっている。そして、包装用フィルム３及びカバーフィルム４が、両ロール１８，１９間を加熱圧接状態で通過することで、包装用フィルム３にカバーフィルム４が貼着され、これにより、錠剤５が各ポケット部２に充填されたＰＴＰフィルム６が製造される。
【００３６】
フィルム受けロール１８の下流ではＰＴＰフィルム６移送経路に沿って、錠剤等の異常の有無、異物混入の有無等の検査を行うための検査装置２１が配設されている。この検査装置２１はポケット部２の突出面側からの検査を行うものである。従って、前記検査装置２１による検査と相俟って、ＰＴＰフィルム６の表裏両面側からの検査を実行することができるようになっている。なお、各検査装置１７，２１によって不良品判定された場合、その不良品判定となったＰＴＰシートは、図示しない不良シート排出機構によって別途排出される。
【００３７】
検査装置２１の下流ではＰＴＰフィルム６移送経路に沿って、スリット成形装置２２、刻印装置２３及びシート打抜装置２４が順に配設されている。スリット成形装置２２は、ＰＴＰフィルム６の所定位置にスリットを形成する機能を有する。刻印装置２３はＰＴＰフィルム６の所定位置にロットナンバー等の識別情報を示す刻印を付す機能を有する。シート打抜装置２４は、ＰＴＰフィルム６をＰＴＰシート１単位に打抜く機能を有する。前記シート打抜装置２４の下側には、シート打抜装置２４から落下する端材２５を貯留するためのスクラップ用ホッパ２６が設けられている。
【００３８】
また、打抜かれたＰＴＰシート１を搬送するためのアーム機構２７、コンベア２８等が設けられており、該ＰＴＰシート１は完成品用ホッパ２９に移送されるようになっている。
【００３９】
ＰＴＰ包装機８の概略は以上のとおりであるが、以下に図５（ａ）に基づき、ポケット部形成装置１４について説明する。上述したように、ポケット部形成装置１４は、上流側に設けられたフィルム加熱装置１１と、下流側に設けられたポケット成形手段１２とを備えている。
【００４０】
ポケット成形手段１２は、下型３１及び上型３２を備えている。該下型３１及び上型３２は、ポケット部２の形状や配置等に応じて交換可能となっている。下型３１は、ポケット部２の位置に対応する複数の孔３３を備えたベース３４と、該孔３３に対し出没可能に設けられた成形凸部３５とを備えている。ベース３４は、包装用フィルム３の下面に沿って固定されており、成形凸部３５は、図示しないアクチュエータにより上下動可能に設けられている。また、上型３２は、前記孔３３に対応する筒状の凹部３６を備えており、包装用フィルム３を挟持できるように、前記ベース３４に対して接離方向、つまり、上下方向へ移動可能に設けられている。かかる構成下、上型３２とベース３４とで挟まれた包装用フィルム３に対して成形凸部３５が突出させられることで、ポケット部２が形成されるようになっている。
【００４１】
フィルム加熱装置１１は、包装用フィルム３の上側に設けられる第１加熱手段３７と下側に設けられる第２加熱手段３８とを備えている。本実施形態のフィルム加熱装置１１は、包装用フィルム３の全面加熱及び部分加熱の双方を実施可能に構成されている。全面加熱をする場合には、第１加熱手段３７及び第２加熱手段３８にそれぞれ全面加熱用の加熱上型３９ａ及び加熱下型４０ａを装着可能になっている。全面加熱用の加熱上型３９ａ及び加熱下型４０ａの包装用フィルム３への対面側が、平坦な加熱面４２ａ，４３ａとなっている。一方、部分加熱をする場合には、前記全面加熱用の加熱上型３９ａ及び加熱下型４０ａに代えて、部分加熱用の加熱上型３９ｂ及び加熱下型４０ｂを装着可能になっている（図５（ｂ）参照）。部分加熱用の加熱上型３９ｂ及び加熱下型４０ｂは、ポケット部２に対応する位置において複数の突出部４２ｂ，４３ｂをそれぞれ備えている。突出部４２ｂ，４３ｂはポケット部２の外周形状に対応しており、略円柱状をなしている。第１加熱手段３７及び第２加熱手段３８には、図示しないヒータが内蔵されており、加熱上型３９ａ，３９ｂ及び加熱下型４０ａ，４０ｂが、それぞれヒータによって加熱されるようになっている。
【００４２】
さらに、フィルム加熱装置１１は、第１加熱手段３７と第２加熱手段３８とを接離方向に往復移動させるための図示しない移動手段を備えている。該移動手段によって、部分加熱時には、第１及び第２加熱手段３７，３８の双方が往復移動させられ、全面加熱時には、第１加熱手段３７のみが往復移動させられるようになっている。なお、全面加熱時には、第２加熱手段３８に装着された加熱下型４０ａの加熱面４３ａが、前記下型３１のベース３４の上面と同じ高さとなる位置に固定されるように構成されている。
【００４３】
ここで、図１に基づき、本実施形態の特徴であるテンション付与装置１０について説明する。テンション付与装置１０は、自身の外周面に沿わせて包装用フィルム３を移送するブレーキローラ５１を備えており、該ブレーキローラ５１には一体となって回転する回転軸５２が具備されている。回転軸５２の両端は、基台５３，５４によって回転可能に支持されている。前記ブレーキローラ５１の外周面は、包装用フィルム３との間に摩擦力が生じるようになっている。これにより、包装用フィルム３の移送に伴って、ブレーキローラ５１が回転させられるようになっている。
【００４４】
また、回転軸５２の一端縁には、該回転軸５２の軸線に対し略垂直な回転面５５を有する回転板５６が一体形成されている。回転軸５２の回転板５６側の軸線延長上には、回転板５６の回転に制動力を付与するため押圧部材としてのブレーキディスク５８と、該ブレーキディスク５８による制動力を調整するための調整機構としての調整ボルト５９とが設けられている。
【００４５】
ブレーキディスク５８は、基台５４内の収容凹部５４ａに収容されており、基台５４に対して回転不能、かつ、回転軸５２の軸線方向に僅かにスライド可能に設けられている。また、該ブレーキディスク５８は、回転板５６の回転面５５に当接させられる押圧面６０と、該押圧面６０の反対面側に開口する凹部６１とを具備している。該凹部６１内には、弾性部材としてのバネ６２が挿入されている。なお、本実施形態では、ブレーキディスク５８、調整ボルト５９及びバネ６２により、制動手段が構成されている。
【００４６】
調整ボルト５９は、頭部６４と軸部６５と具備している。軸部６５の先端が、基台５４のねじ穴６６を介して凹部６１内に入り込むように配置されているとともに、凹部６１内のバネ６２を圧縮可能に構成されている。圧縮されたバネ６２の弾性反発力によって、ブレーキディスク５８が回転板５６の方へと常時一定の押圧力で押し付けられるようになっている。すなわち、押圧面６０が回転面５５に押し付けられることにより、押圧面６０と回転面５５との間に摩擦による摺動抵抗力が生じる。前記摺動抵抗力は、回転軸５２の回転に対する制動力になっており、回転軸５２を具備するブレーキローラ５１に対しても同様の制動力が働く。
【００４７】
さらに、調整ボルト５９を基台５４のねじ穴６６に対して回転させることで、軸部６５の凹部６１側への突出量を増減可能に構成されている。これにより、バネ６２の圧縮量が調整される。その結果、ブレーキディスク５８による回転軸５２の回転に対する制動力を調整可能になっている。
【００４８】
加えて、前記ブレーキローラ５１の軸線方向中央近傍の外方には、押さえローラ６７が設けられている。また、ブレーキローラ５１の外周面において、押さえローラ６７に対応する部分には、ゴムによって被覆された補助面６８が形成されている。押さえローラ６７によって、包装用フィルム３が補助面６８に押さえ付けられるようになっている。これにより、包装用フィルム３とブレーキローラ５１との間の摩擦力が増加し、包装用フィルム３の移送にブレーキローラ５１の回転がより確実に伴うようになっている。
【００４９】
さて、以上のように構成されたＰＴＰ包装機８によってＰＴＰシート１を製造する手順及びそのときどきの作用効果について、主要な工程を中心として説明する。
【００５０】
まず、包装用フィルム３は、下流側のフィルム送りロール１３によって送られることで、テンション付与装置１０を経て、ポケット部形成装置１４に間欠的に移送される。テンション付与装置１０において、包装用フィルム３が移送される間は、包装用フィルム３の移送に伴ってブレーキローラ５１が回転させられる。このとき、ブレーキディスク５８によって、回転軸５２及びブレーキローラ５１の回転に対して所定の摺動摩擦力が加えられる。このため、ブレーキローラ５１の回転が制動され、包装用フィルム３はブレーキローラ５１とフィルム送りロール１３とによって引っ張られることとなる。従って、ポケット部形成装置１４へと移送される包装用フィルム３には、移送中において所定のテンションが付与される。その結果、移送中の包装用フィルム３の弛みや蛇行等が抑制できる。
【００５１】
一方、フィルム送りロール１３による包装用フィルム３の移送が停止させられると、テンション付与装置１０では、ブレーキディスク５８による制動力によって、ブレーキローラ５１の回転が停止させられる。このため、フィルム送りロール１３による包装用フィルム３の移送が突然停止させられても、ブレーキローラ５１が惰性で回転し続け、包装用フィルム３がポケット部形成装置１４の方へと移送されてしまうことはない。従って、ポケット部形成装置１４に移送された包装用フィルム３が、著しく弛んでしまうといった不具合をも抑制される。また、包装用フィルム３の移送停止中には、ブレーキローラ５１の回転停止が維持される。このため、ブレーキローラ５１が包装用フィルム３を伸張させるほど引っ張ってしまうことはない。
【００５２】
次に、ポケット部形成装置１４において、ポケット部形成工程を経る。すなわち、包装用フィルム３は、テンションを付与された状態で、フィルム加熱装置１１へと移送される。なお、フィルム加熱装置１１に関しては、予め、部分加熱する場合と全面加熱する場合とによって、設定を変更させておく。
【００５３】
部分加熱する場合には、突出部４２ｂ，４３ｂを有する加熱上型３９ｂ及び加熱下型４０ｂを装着させるとともに、第１及び第２加熱手段３７，３８の双方を往復移動可能にさせる。そして、包装用フィルム３の移送の停止の間に、加熱上型３９ｂ、加熱下型４０ｂが共に包装用フィルム３に対して接近移動させられる。すると、突出部４２ｂ，４３ｂ同士の接触によって、包装用フィルム３はポケット部２に対応する部位においてスポット的に加熱される。所定時間加熱後に、第１加熱手段３７及び第２加熱手段３８が移動させられ、加熱上型３９ｂ及び加熱下型４０ｂが一旦包装用フィルム３から離間させられる。
【００５４】
全面加熱する場合には、平坦な加熱面４２ａ，４３ａを有する加熱上型３９ａ及び加熱下型４０ａを装着させる。さらに、第２加熱手段３８を固定させ、第１加熱手段３７のみを往復移動可能にさせる。そして、包装用フィルム３の移送の停止の間に、加熱上型３９ａが加熱下型４０ａ上の包装用フィルム３に対して接近移動させられる。すると、加熱上型３９ａ及び加熱下型４０ａの加熱面４２ａ，４３ａが、包装用フィルム３の全面に当接し、包装用フィルム３の全面が加熱される。所定時間加熱後に、第１加熱手段３７が上方へ移動させられ、加熱上型３９ａが一旦包装用フィルム３から離間させられる。
【００５５】
なお、部分加熱及び全面加熱の場合に、少なくとも加熱上型３９ａ，３９ｂ及び加熱下型４０ａ，４０ｂに包装用フィルム３が挟持されている加熱中には、包装用フィルム３の移送が停止され、かつ、ブレーキローラ５１の回転が停止させられている。
【００５６】
続いて、加熱軟化された包装用フィルム３は、テンションが付与された状態で、ポケット成形手段１２へと移送される。このため、ポケット成形手段１２においても、包装用フィルム３の弛みや蛇行が抑制される。ポケット成形手段１２では、部分加熱された包装用フィルム３においては、軟化部分がベース３４の孔３３の位置と一致させられる。そして、この時点で上型３２が下型３１のベース３４の方へと接近移動させられる。これにより、上型３２とベース３４とで包装用フィルム３が挟持される。その後、下型３１の成形凸部３５が包装用フィルム３の軟化部分に対して突出させられる。これにより、軟化部分が成形凸部３５によって延伸され、ポケット部２が形成され硬化する。その後、成形凸部３５及び上型３２が包装用フィルム３から離間させられ、包装用フィルム３はさらに下流側へと移送される。
【００５７】
その後、包装用フィルム３は錠剤投入装置１６の方へと移送される。該錠剤投入装置１６によってポケット部２に錠剤が投入され、また続く検査装置１７による検査工程を経た後、包装用フィルム３は、カバーフィルム４とともに、フィルム受けロール１８の方へと移送される。ここで、フィルム受けロール１８及び加熱ロール１９によってカバーフィルム４が包装用フィルム３に対し加熱圧接されることで、取着される。
【００５８】
次に、カバーフィルム４が取着されることにより得られたＰＴＰフィルム６は、検査装置２１による検査工程を経た後、さらにスリット形成工程及び刻印工程を経てシート打抜装置２４の方へと移送される。そして、ＰＴＰフィルム６がＰＴＰシート１単位に打抜かれ、発生した端材２５は、前記スクラップ用ホッパ２６に自動的に導かれる。シート打抜装置２４によって打抜かれたＰＴＰシート１は、アーム機構２７によって取出しコンベア２８上へと案内され、該取出しコンベア２８によって搬送され、完成品用ホッパ２９に一旦貯留される。
【００５９】
以上詳述したように、テンション付与装置１０において、ブレーキローラ５１の回転に対して制動力が働くようになっている。これにより、包装用フィルム３の移送によりブレーキローラ５１が回転させられている場合には、包装用フィルム３がブレーキローラ５１によって引っ張られる。このため、移送中に包装用フィルム３にテンションが付与される。従って、移送の際の包装用フィルム３の弛みや蛇行等の抑制を図ることができる。本実施形態では、テンション付与装置１０の下流側におけるフィルム加熱装置１２には、テンションが付与されつつ、包装用フィルム３が移送されてくる。このため、フィルム加熱装置１２の適切な位置に、包装用フィルム３の移送されることとなる。
【００６０】
一方、包装用フィルム３の移送停止によりブレーキローラの回転が停止させられる際には、前記制動力によりブレーキローラ５１の回転が停止させられる。このため、惰性でブレーキローラ５１が回転し続け、包装用フィルム３が無駄に下流へと移送されてしまうといった不具合を抑制できる。従って、移送停止の際の包装用フィルム３の弛みをも抑制できる。
【００６１】
また、包装用フィルム３の移送停止中には、前記制動力により、ブレーキローラ５１の回転停止状態が維持される。本実施形態では、包装用フィルム３の移送停止中に、加熱上型３９ａ，３９ｂ及び加熱下型４０ａ，４０ｂによって包装用フィルム３が挟持され、加熱される。このため、少なくとも前記加熱中には、包装用フィルム３がブレーキローラ５１によって著しく伸張させられてしまうといった不具合を抑制できる。ひいては、該著しい伸張に起因するうねり等の不具合をも抑制できる。
【００６２】
加えて、前記制動力は、ブレーキローラ５１の回転軸５２にディスクブレーキ５８を常に押し付けることで得られる摩擦による摺動抵抗力である。このため、常にブレーキディスク５８を押し付ける押圧力を与えることにより、移送中及び移送停止中に応じて、自動的にテンション付与が実施されたり、ブレーキローラ５１の回転が停止されたりする。その結果、複雑な制御を行う必要がなく、装置の複雑化や設備費の増加を抑制することができる。
【００６３】
また、回転軸５２の回転軸線方向に略垂直に形成された回転面５５に、ブレーキディスク５８の押圧面６０が押し付けられるようになっている。回転軸５２やブレーキローラ５１の外周面等に押圧部材を押し付ける場合には、外周面等の形状に合わせて押圧面を曲面に形成すると行った高度な加工が必要となるが、前記回転面５５は、平面であり、押圧面６０も平面とすることができる。このため、テンション付与装置１２を容易に製造できる。
【００６４】
併せて、回転板５６に、バネ６２の弾性反発力によって、ブレーキディスク５８を押し付けるだけの簡易な構成で容易に得ることができる。このため、別途の駆動装置によって制動力を与えたりする等の複雑な機構等を必要としない。従って、装置の複雑化や設備費の増加を抑制することができる。
【００６５】
さらに、調整ボルト５９によってバネ６２の圧縮量を調整することで、容易に制動力を調整できる。このため、包装用フィルム３に付与されるテンションを適切な強さに調整できる。
【００６６】
加えて、フィルム加熱装置８は、包装用フィルム３を部分加熱することも、全面加熱することも可能に構成されている。部分加熱であっても、全面加熱であっても、上述のように適切なタイミングでテンションが付与されるため、包装用フィルム３の弛みや蛇行等を抑制できる。
【００６７】
以上説明した実施の形態において、例えば、次のように構成の一部を適宜変更して実施することも可能である。勿論、以下において例示しない他の変更例も当然可能である。
【００６８】
（ａ）上記実施形態では、ブレーキディスク５８の凹部６１内にバネ６２を設け、調整ボルト５９の軸部６５の先端をバネ６２に押し付けるようになっているが、ブレーキディスク５８がバネ６２の弾性反発力によって回転板５６へと押し付けられるようになっていれば、他の構成でも差し支えない。例えば、図６に示すように、ボルト７０の軸部７１を基台５４に形成された通し孔７２を介して、ブレーキディスク７３に形成されたねじ孔７４に固定させるように構成する。さらに、ブレーキディスク７３を収容するための収容凹部５４ａ内に、基台５４とブレーキディスク７３とによって圧縮可能なバネ７５を設けるようにしてもよい。
【００６９】
（ｂ）上記実施形態では、回転軸５２の先端に設けた回転板５６に、軸線方向からブレーキディスク５８を押し当てることで摩擦による摺動抵抗力を生じさせ、ブレーキローラ５１に制動力が働くようになっているが、回転板５６以外に摺動抵抗力を生じさせるようにしてもよい。例えば、ブレーキローラ５１の回転軸方向側面や外周面に、別途の押圧部材を押し当てるようにしてもよい。
【００７０】
（ｃ）また、摺動抵抗力とは異なる方法で、ブレーキローラ５１に制動力が働くように構成してもよい。例えば、低トルクモータ等の駆動装置によって、ブレーキローラ５１に回転方向と逆向きの回転力を付与可能に構成してもよい。この場合、包装用フィルム３の移送時に前記回転力を付与し、移送停止時に前記回転力の付与を解除するように駆動装置を制御する、または、前記回転力の付与の解除とともに、ブレーキローラ５１を回転しないよう固定するように駆動装置を制御することで、上記実施形態と同様の作用効果が得られる。
【００７１】
（ｄ）押さえローラ６７は、ブレーキローラ５１の軸線方向中央近傍を押さえるように構成されているが、軸線方向中央近傍以外の位置を押さえるようにしても差し支えない。また、ブレーキローラ５１の軸線方向全体等、幅広い範囲を押さえるように構成してもよい。
【００７２】
（ｅ）上記実施形態では、フィルム加熱装置８は、部分加熱及び全面加熱を共に実施可能に構成されているが、部分加熱専用や全面加熱専用のフィルム加熱装置であっても差し支えない。
【００７３】
（ｆ）フィルム加熱装置８によって、部分加熱をさせる場合には、包装用フィルム３下面側に弛みを防止するための支持プレートや、包装用フィルム３の側方に蛇行を防止するためのサイドガイド等の包装用フィルム３を案内するためのガイド部材を装着するように構成してもよい。
【００７４】
（ｇ）フィルム加熱装置８の一部としてテンション付与装置１０を設けるように構成してもよい。
【図面の簡単な説明】
【００７５】
【図１】一実施形態におけるテンション付与装置の構成を示す部分断面図である。
【図２】（ａ）はＰＴＰシートを、（ｂ）はＰＴＰフィルムを示す斜視図である。
【図３】ＰＴＰシートを示す部分拡大断面図である。
【図４】ＰＴＰ包装機の概略構成を説明するための模式図である。
【図５】ポケット部形成装置の構成を示す断面模式図であって、（ａ）は全面加熱用の加熱上型及び加熱下型が装着された場合であり、（ｂ）は部分加熱用の加熱上型及び加熱下型が装着された場合である。
【図６】別の形態の制動手段であって、バネが異なる位置に配置されているものである。
【図７】従来のＰＴＰ包装機の概略構成を説明するための模式図である。
【符号の説明】
【００７６】
１…ブリスターパックとしてのＰＴＰシート、２…ポケット部、３…包装用フィルム、８…ブリスターパックの製造装置としてのＰＴＰ包装機、１０…テンション付与装置、１１…加熱手段としてのフィルム加熱装置、１２…ポケット成形手段、１６…収容装置としての錠剤投入装置、１８…取着装置を構成するフィルム受けロール、１９…取着装置を構成する加熱ロール、５１…ブレーキローラ、５５…回転面、５８…押圧部材としてのブレーキディスク、５９…調整機構としての調整ボルト、６０…押圧面、６２…弾性部材としてのバネ。
【図１】
2005306402.tif 000003
【図２】
2005306402.tif 000004
【図３】
2005306402.tif 000005
【図４】
2005306402.tif 000006
【図５】
2005306402.tif 000007
【図６】
2005306402.tif 000008
【図７】
2005306402.tif 000009